(57)【要約】      （修正有）【課題】ユーザが購入した商品やサービスに関する情報をそのユーザがより簡単に利用できるようにするための情報管理システム、方法及びプログラムを提供する。【解決手段】ＰＯＳシステムと連携して情報の管理を行う情報管理システムであって、ＰＯＳシステムで商品またはサービスの決済を行う際に、購入者の属性情報を受け付ける受付手段と、ＰＯＳシステムで管理している前記決済を完了した商品またはサービスの情報と受け付けた属性情報とを紐付ける紐付け手段と、紐付けした情報をデータベースに登録する登録手段と、登録された情報を提供する提供手段とを備える。【選択図】図５
2017138745.tif 000002
【特許請求の範囲】
【請求項１】
ＰＯＳシステム（ｐｏｉｎｔ  ｏｆ  ｓａｌｅｓ  ｓｙｓｔｅｍ）と連携して情報の管理を行う情報管理システムであって、
前記ＰＯＳシステムで商品またはサービスの決済を行う際に、購入者の属性情報を受け付ける受付手段と、
前記ＰＯＳシステムで管理している前記決済を完了した商品またはサービスの情報と、前記受け付けた属性情報と、を紐付ける紐付け手段と、
前記紐付けした情報をデータベースに登録する登録手段と、
前記登録された情報を提供する提供手段と、
を備えることを特徴とする情報管理システム。
【請求項２】
前記属性情報が、クレジットカードの情報であることを特徴とする請求項１に記載の情報管理システム。
【請求項３】
前記属性情報が、所有端末の情報であることを特徴とする請求項１に記載の情報管理システム。
【請求項４】
前記属性情報が、マイナンバーであることを特徴とする請求項１に記載の情報管理システム。
【請求項５】
前記関連付けを行うタイミングが、決済のタイミングであることを特徴とする請求項１に記載の情報管理システム。
【請求項６】
前記提供する情報を、決済の情報と紐付けて提供することを特徴とする請求項１に記載の情報管理システム。
【請求項７】
前記購入者が複数の場合に、前記属性情報を所定のグループに登録するグループ手段を備え、
前記提供手段は、前記紐付けされた情報を前記グループ単位で提供することを特徴とする請求項１に記載の情報管理システム。
【請求項８】
ＰＯＳシステム（ｐｏｉｎｔ  ｏｆ  ｓａｌｅｓ  ｓｙｓｔｅｍ）と連携して情報の管理を行う情報管理方法であって、
前記ＰＯＳシステムで商品またはサービスの決済を行う際に、購入者の属性情報を受け付ける受付ステップと、
前記ＰＯＳシステムで管理している前記決済を完了した商品またはサービスの情報と、前記受け付けた属性情報と、を紐付ける紐付けステップと、
前記紐付けした情報をデータベースに登録する登録ステップと、
前記登録された情報を提供する提供ステップと、
を有することを特徴とする情報管理方法。
【請求項９】
ＰＯＳシステム（ｐｏｉｎｔ  ｏｆ  ｓａｌｅｓ  ｓｙｓｔｅｍ）と連携して情報の管理を行う情報管理システムに、
前記ＰＯＳシステムで商品またはサービスの決済を行う際に、購入者の属性情報を受け付ける受付ステップ、
前記ＰＯＳシステムで管理している前記決済を完了した商品またはサービスの情報と、前記受け付けた属性情報と、を紐付ける紐付けステップ、
前記紐付けした情報をデータベースに登録する登録ステップ、
前記登録された情報を提供する提供ステップ、
を実行させるためのプログラム。
【発明の詳細な説明】
【技術分野】
【０００１】
本発明は、商品又はサービスに関する情報の管理に関する情報管理システム、方法及びプログラムに関する
【背景技術】
【０００２】
特許文献１には、管理装置に日時および顧客識別情報に関連づけて販売商品情報を登録しておき、冊子状媒体や磁気媒体及び顧客カードから入力される顧客識別情報に基づいて、管理装置により販売商品情報を少なくとも商品品目毎に集計させ、顧客の購入商品情報として出力可能な収支情報処理装置が開示されている。
【０００３】
特許文献２には、次の内容が開示されている。すなわち、店舗等で商品を購入したときに出力され顧客に渡されるレシートに日付、商品コード等に対応したバーコードを付加して出力する。バーコードスキャナを備えネットワークに接続されたＤＴＶ（家庭用電子機器）で、家庭においてレシートをスキャンすることで買物情報の抽出を可能にし、他の家庭内の電子機器へのデータ転送も可能にする。商品コードに対応する商品データはネットワークを介して店舗データベースから取得する。
【先行技術文献】
【特許文献】
【０００４】
【特許文献１】特開２００４−１０２６８７号公報
【特許文献２】特開２００３−２９３２９０号公報
【発明の概要】
【発明が解決しようとする課題】
【０００５】
しかしながら、ユーザにとっては、そのユーザが購入した商品やサービスに関する情報は、できるだけそのユーザが簡単に利用できることが望ましい。上述の特許文献２では、ユーザが店舗の商品購入情報を利用できる技術を開示するが、ユーザが利用するためには、レシートの読み取り等を必要としており、さらなる簡便化が求められている。本発明の目的は、ユーザが購入した商品やサービスに関する情報を、そのユーザがより簡単に利用できるようにするための情報管理システム、方法及びプログラムを提供することにある。
【課題を解決するための手段】
【０００６】
本発明の一実施形態に係る情報管理システムは、ＰＯＳシステム（ｐｏｉｎｔ  ｏｆ  ｓａｌｅｓ  ｓｙｓｔｅｍ）と連携して情報の管理を行うシステムであって、
ＰＯＳシステムで商品またはサービスの決済を行う際に、購入者の属性情報を受け付ける受付手段と、
ＰＯＳシステムで管理している決済を完了した商品またはサービスの情報と、受付手段で受け付けた属性情報と、を紐付ける紐付け手段と、
紐付け手段で紐付けした情報をデータベースに登録する登録手段と、
登録手段によって登録された情報を提供する提供手段と、
を備えることを特徴とする。
【発明の効果】
【０００７】
本発明に係る情報管理システム、方法及びプログラムによれば、ユーザが購入した商品やサービスに関する情報を、そのユーザがより簡単に利用することができる。
【図面の簡単な説明】
【０００８】
【図１】本実施形態に係る情報管理システムを含む全体の構成を示す。
【図２】ＰＯＳシステムの構成例を示す。
【図３】情報管理システムの構成例を示す。
【図４】紐付け情報ＤＢの構成例を示す。
【図５】ＰＯＳシステムにおける決済処理の例を示すフローチャートである。
【図６】情報管理システムにおける登録処理の例を示すフローチャートである。
【図７】情報管理システムにおける情報提供処理の例を示すフローチャートである。
【図８】ユーザ端末に提供される表示画面の例を示す図である。
【図９】ユーザ端末に提供される表示画面の例を示す図である。
【発明を実施するための形態】
【０００９】
以下、本発明の実施形態について、図面を参照しながら説明する。なお、下記の記載は本発明の一例であって、本発明の技術的範囲はこれに限られるものではない。
【００１０】
図１は、本実施形態に係る情報管理システム１０を含む全体の構成を示す。
【００１１】
情報管理システム１０には、ネットワークＮ１を通じて、１つ以上のＰＯＳシステム１２が接続されている。また、情報管理システム１０には、ネットワークＮ２を通じて、複数のユーザ端末１６が接続されている。ネットワークＮ１、Ｎ２は、例えば、インターネットであってもよい。
【００１２】
ＰＯＳシステム１２は、店舗等に設置され、ユーザとの間で、商品又はサービス等（以下、単に「商品」という）の購入決済を行う。このとき、ＰＯＳシステム１２は、そのユーザに関する属性情報（「ユーザ属性情報」という）を受け付けてよい。ユーザ属性情報には、例えば、氏名、マイナンバー、性別、生年月日、住所、メールアドレス、クレジットカード番号、ニックネーム、又は、ユーザ端末１６の識別情報などが１つ以上含まれてよい。
【００１３】
ユーザ端末１６は、ＰＣ、スマートフォン又はタブレットに限らず、ネットワークＮ１に接続可能なものであれば何でもよい。例えば、ユーザ端末１６は、ネットワークＮ１に接続可能な、テレビ、冷蔵庫又はプリンタなどであってもよい。
【００１４】
情報管理システム１０は、ＰＯＳシステム１２から、購入商品に関する情報（「商品情報」という）と、その購入の決済に関する情報（「決済情報」という）と、ユーザ属性情報とを紐付けた（関連付けた）情報（「紐付け情報」という）を受領し、それを紐付け情報ＤＢ３００（図３参照）で管理する。
【００１５】
また、情報管理システム１０は、ユーザ端末１６から、ユーザ属性情報と紐付けられている商品情報及び／又は決済情報の要求を受領すると、紐付け情報ＤＢ３００の中からそのユーザ属性情報と関連付けられている商品情報及び／又は決済情報を検索し、その検索結果をそのユーザ端末１６に返す。
【００１６】
これにより、ユーザは、購入商品の商品情報及び／又は決済情報などを簡単に取得して利用することができる。例えば、決済情報に購入商品の決済金額が含まれている場合、ユーザは、それを利用して簡単に家計簿を作成することができる。
【００１７】
例えば、商品情報に購入食品（商品）の賞味期限が含まれている場合、ユーザは、それを利用して冷蔵庫に入っている食品の賞味期限を容易に知ることができる。以下、詳細に説明する。
【００１８】
図２は、ＰＯＳシステム１２の構成例を示す。
【００１９】
ＰＯＳシステム１２は、プロセッサ２０と、メモリ２２と、記憶ドライブ２６と、商品受付Ｉ／Ｆ３２と、決済受付Ｉ／Ｆ３２と、ユーザ属性受付Ｉ／Ｆ３４と、ネットワークＩ／Ｆ２４とを備えてよい。
【００２０】
ネットワークＩ／Ｆ２４は、ネットワークＮ１に接続されている情報管理システム１０との間におけるデータの送受信を制御する。ネットワークＩ／Ｆ２４は、例えば、ＮＩＣである。
【００２１】
記憶ドライブ２６は、ＰＯＳシステム１２で使用される様々なデータを保持する。記憶ドライブは、例えば、ＨＤＤ、ＳＳＤ、フラッシュメモリカードである。
【００２２】
プロセッサ２０は、メモリ２２に格納されているプログラムを実行することにより、ＰＯＳシステム１２の様々な機能を実現する。
【００２３】
メモリ２２は、ＰＯＳシステム１２の機能を実現するための様々なプログラム及びデータを格納する。メモリ２２は、例えば、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）である。
【００２４】
商品受付Ｉ／Ｆ３２は、ユーザが購入する商品のＩＤ（「商品ＩＤ」という）を受け付ける。商品ＩＤは、例えば、商品に付されているバーコードである。商品受付Ｉ／Ｆ３２は、例えば、バーコードリーダである。
【００２５】
決済受付Ｉ／Ｆ３２は、ユーザから決済を受け付ける。決済受付Ｉ／Ｆ３２は、例えば、クレジットカードリーダ、電子マネーカードリーダである。
【００２６】
ユーザ属性受付Ｉ／Ｆ３４は、ユーザから、ユーザ属性情報を受け付ける。ユーザ属性受付Ｉ／Ｆ３４は、例えば、磁気カードリーダ、非接触カードリーダ、ＱＲコードリーダ、タッチパネルディスプレイである。
【００２７】
ユーザ属性受付Ｉ／Ｆ３４と決済受付Ｉ／Ｆ３２とは、１つのＩ／Ｆであってもよい。例えば、クレジットカードリーダや電子マネーカードリーダが、決済の受け付けとユーザ属性情報の受け付けとを一度に行ってもよい。
【００２８】
メモリ２２には、プログラムとして、決済手段１００、ユーザ属性受付手段１０２、紐付け手段１０４、送信手段１０６が格納されてよい。また、メモリ２２には、情報として、商品情報テーブル２００が格納されてよい。なお、これらのプログラム及び情報は、記憶ドライブ２６に保持され、適宜メモリ２２に格納されてもよい。
【００２９】
商品情報テーブル２００は、商品ＩＤに対応する商品情報を管理する。商品情報は、商品の種類によって異なってよい。例えば、食品の商品情報には、食品名、メーカ名、賞味期限、生産地、原産国などが含まれてよい。家電の商品情報には、種類（テレビ、エアコン、冷蔵庫、電子レンジなど）、型番、メーカ名、保証期間などが含まれてよい。携帯電話の商品情報（サービス情報）には、キャリア名、機種型番、契約パック、契約年数、契約料金などが含まれてよい。
【００３０】
決済手段１００は、商品受付Ｉ／Ｆ３２を介して購入を受け付けた商品について、決済受付Ｉ／Ｆ３２を介してユーザから受け付けた決済を処理し、決済情報を生成する。例えば、決済情報には、決済された商品の商品ＩＤ、決済金額、決済日時、決済場所（店舗名）などが含まれてよい。
【００３１】
ユーザ属性受付手段１０２は、ユーザ属性受付Ｉ／Ｆ３４を介して、商品を購入したユーザのユーザ属性情報を受け付ける。ユーザ属性受付手段１０２は、決済手段１００による決済時に、ユーザ属性情報を合わせて受け付けてよい。
【００３２】
紐付け手段１０４は、決済手段１００によって生成された決済情報と、その決済された商品の商品情報と、ユーザ属性受付手段１０２によって受け付けたユーザ属性情報とを紐付けて、紐付け情報を生成する。
【００３３】
送信手段１０６は、紐付け手段１０４によって生成された紐付け情報を、情報管理システム１０へ送信する。
【００３４】
図３は、情報管理システム１０の構成例を示す。
【００３５】
情報管理システム１０は、プロセッサ４０と、メモリ４２と、記憶ドライブ４６と、ネットワークＩ／Ｆ４４とを備えてよい。
【００３６】
ネットワークＩ／Ｆ４４は、ネットワークＮ１及びＮ２に接続されているＰＯＳシステム１２及びユーザ端末１６との間におけるデータの送受信を制御する。ネットワークＩ／Ｆ４４は、例えば、ＮＩＣである。
【００３７】
プロセッサ４０は、メモリ４２に格納されているプログラムを実行することにより、情報管理システム１０の様々な機能を実現する。
【００３８】
メモリ４２は、情報管理システム１０の機能を実現するための様々なプログラム及びデータを格納する。メモリ４２は、例えば、ＤＲＡＭ、ＳＲＡＭである。
【００３９】
記憶ドライブ４６は、情報管理システム１０で使用される様々なデータを保持する。記憶ドライブ４６は、例えば、ＨＤＤ、ＳＳＤなどである。記憶ドライブ４６は、紐付け情報ＤＢ３００を保持する。
【００４０】
図４は、紐付け情報ＤＢ３００の構成例を示す。
【００４１】
紐付け情報ＤＢ３００は、ＰＯＳシステム１２から送信された紐付け情報をレコードとして管理する。紐付け情報ＤＢ３００は、項目値として、例えば、番号３０２、グループＩＤ３０４、ユーザ属性情報３０６、決済情報３０８、及び商品情報３１０などを有してよい。
【００４２】
番号３０２は、紐付け情報ＤＢ３００のレコード（紐付け情報）を識別するため番号である。
【００４３】
グループＩＤ３０４は、そのレコードが属するグループを識別するためのＩＤである。すなわち、同一のグループＩＤを有するレコードは、同一のグループに属するとしてよい。なお、１つのレコードに複数のグループＩＤが付与されてもよい。例えば、同じ家族に属するユーザに共通のグループＩＤを付与し、同じ住所（家）に住むユーザにそれとは別共通のグループＩＤを付与してもよい。なぜなら、同じ家族に属するユーザが、別の住所に住んでいる場合もあるからである。
【００４４】
ユーザ属性情報３０６、決済情報３０８、及び商品情報３１０については、上述の通りである。すなわち、紐付け情報ＤＢ３００は、ユーザ属性情報３０６と、決済情報３０８と、商品情報３１０とを関連付けて管理する。
【００４５】
図３の説明に戻る。メモリ４２は、プログラムとして、受信手段１１０、ＤＢ制御手段１１２、グループ制御手段１１４、情報提供手段１１６を格納してよい。これらのプログラムは、記憶ドライブ４６に保持され、適宜メモリ４２に読み出されてもよい。
【００４６】
受信手段１１０は、ＰＯＳシステム１２から紐付け情報を受信する。
【００４７】
ＤＢ制御手段１１２は、紐付け情報ＤＢ３００を制御する。例えば、ＤＢ制御手段１１２は、受信手段１１０が受信した紐付け情報を、紐付け情報ＤＢ３００に登録する。ＤＢ制御手段１１２は、例えば、ＤＢＭＳ（ｄａｔａｂａｓｅ  ｍａｎａｇｅｍｅｎｔ  ｓｙｓｔｅｍ）である。
【００４８】
グループ制御手段１１４は、複数のユーザ属性情報をグループ化し、紐付け情報ＤＢ３００において同一のグループＩＤを付与する。グループ制御手段１１４は、ユーザからの指示に従ってグループを形成してよい。又は、グループ制御手段１１４は、所定の条件に基づいて、自動的にグループを形成しても良い。例えば、グループ制御手段１１４は、紐付け情報ＤＢ３００において、同一の住所及び／又は電話番号を含む複数のユーザ属性情報に対して同一のグループＩＤを付与（つまり１つの家族グループを形成）してもよい。
【００４９】
情報提供手段１１６は、ユーザ端末１６からユーザ属性情報を検索キーとする情報取得要求を受領すると、紐付け情報ＤＢ３００の中から、そのユーザ属性情報を含むレコードを検索し、その検索にヒットしたレコードの情報をユーザ端末１６に返してよい。このとき、情報影響手段１１６は、その検索にヒットしたレコードのグループＩＤと同一のグループＩＤを有する他のレコードの情報も合わせてユーザ端末１６に返してもよい。
【００５０】
情報提供手段１１６は、ユーザ端末１６からグループＩＤを検索キーとする情報取得要求を受領すると、紐付け情報ＤＢ３００の中から、そのグループＩＤを含むレコードを検索し、その検索にヒットしたレコードの情報をユーザ端末１６に返してよい。
【００５１】
これにより、ユーザは、情報提供手段１１６から提供された商品情報を利用して、購入した商品の様々な情報（例えば食品の賞味期限など）を知ることができる。また、ユーザは、情報提供手段１１６から提供されたグループに含まれる決済情報及び商品情報のセットを利用して、家族の家計簿を簡単に作成することができる。
【００５２】
グループ制御手段１１４は、ユーザ端末１６からの指示に従って、グループＩＤ３０４を変更してもよい。例えば、離れて住んでいる娘が実家にお土産を持ってきた場合、グループ制御手段１１４は、その娘が購入したお土産に対応するグループＩＤ３０４を、実家の母親に対応するグループＩＤに変更してもよい。これにより、実家の母親は、情報提供手段１１６を通じて、実家の娘が購入したお土産の賞味期限を知ることができる。
【００５３】
図５は、ＰＯＳシステム１２における決済処理の例を示すフローチャートである。
【００５４】
（Ｓ１００）決済手段１００は、商品受付Ｉ／Ｆ３２を通じて、ユーザが購入した商品の商品ＩＤを取得する。そして、決済手段１００は、その商品ＩＤに対応する価格などを取得し、決済情報を生成する。また、決済手段１００は、商品情報テーブル２００から、その商品ＩＤに対応する商品情報を取得する。そして、Ｓ１０２の処理へ進む。
【００５５】
（Ｓ１０２）ユーザ属性受付手段１０２は、ユーザ属性受付Ｉ／Ｆ３４を通じて、その決済を行ったユーザのユーザ属性情報を取得する。ユーザ属性情報は、ユーザが購入商品を配送してもらうために提供した自宅の住所や電話番号であってよい。又は、ユーザ属性情報は、ユーザの年齢確認のために入力してもらった生年月日であってよい。そして、Ｓ１０４の処理へ進む。
【００５６】
（Ｓ１０４）紐付け手段１０４は、ユーザ属性受付手段１０２が取得したユーザ属性情報と、決済手段１００が取得及び生成した商品情報及び決済情報とを紐付けて、紐付け情報を生成する。そして、Ｓ１０６の処理へ進む。
【００５７】
（Ｓ１０６）送信手段１０６は、その生成された紐付け情報を、情報管理システム１０へ送信する。
【００５８】
以上の処理により、決済時に紐付け情報が生成され、ＰＯＳシステム１２から情報管理システム１０へ送信される。
【００５９】
なお、紐付け情報は、必ずしも決済時に送信されなくてもよい。例えば、ＰＯＳシステム１２は、所定期間（例えば１営業日）分の紐付け情報を記憶ドライブ２６に蓄積しておき、所定期間経過後、その蓄積されている紐付け情報をまとめて情報管理システム１０へ送信してもよい。
【００６０】
図６は、情報管理システム１０における登録処理の例を示すフローチャートである。
【００６１】
（Ｓ２００）受信手段１１０は、ＰＯＳシステム１２から紐付け情報を受領すると、Ｓ２０２の処理へ進む。
【００６２】
（Ｓ２０２）ＤＢ制御手段１１２は、Ｓ２００で受領した紐付け情報を、紐付け情報ＤＢ３００に登録する。
【００６３】
以上の処理により、ＰＯＳシステム１２から送信された紐付け情報が、紐付け情報ＤＢ３００に登録される。
【００６４】
なお、グループＩＤ３０４はユーザ属性情報に含まれていても良い。又は、グループ制御手段１１４が、次の処理によりグループＩＤ３０４を付与してもよい。
【００６５】
（Ｓ２０４）グループ制御手段１１４は、紐付け情報ＤＢ３００の中から、Ｓ２０２で登録した紐付け情報に含まれるユーザ属性情報３０４と適合するユーザ属性情報３０４を含むレコードを検索する。例えば、ユーザ属性情報３０４に同じ住所や電話番号を含むレコードを検索する。
【００６６】
（Ｓ２０６）グループ制御手段１１４は、Ｓ２０４の検索に１つ以上ヒットしたか否かを判定し、その判定結果が「ＹＥＳ」ならばＳ２０８の処理へ進み、「ＮＯ」ならばＳ２０６の処理へ進む。
【００６７】
（Ｓ２０８）グループ制御手段１１４は、Ｓ２０２で登録した紐付け情報に、その検索にヒットしたレコードのグループＩＤ３０４と同一のグループＩＤを付与し、処理を終了する。
【００６８】
（Ｓ２１０）グループ制御手段１１４は、Ｓ２０４で登録した紐付け情報に、新規のグループＩＤを付与し、処理を終了する。
【００６９】
以上の処理により、関連するユーザ（例えば同じ家族のユーザ）の紐付け情報をグループ化することができる。
【００７０】
図７は、情報管理システム１０における情報提供処理の例を示すフローチャートである。
【００７１】
（Ｓ３００）情報提供手段１１６は、ユーザ端末１６から、ユーザ属性情報を検索キーとする情報取得要求を受領すると、Ｓ３０２の処理へ進む。
【００７２】
（Ｓ３０２）ＤＢ制御手段１１２は、紐付け情報ＤＢ３００から、Ｓ３００で受領したユーザ属性情報３０６と適合するレコードを抽出する。情報提供手段１１６は、この抽出したレコードの決済情報３０８及び商品情報３１０を、ユーザ端末１６に提供（送信）する。
【００７３】
以上の処理により、ユーザは、自分が購入した商品の決済情報及び商品情報を簡単に入手して利用することができる。
【００７４】
なお、情報提供手段１１６は、次の処理により、同一グループに属する決済情報及び商品情報も合わせて、ユーザ端末１６に提供してもよい。
【００７５】
（Ｓ３０４）ＤＢ制御手段１１２は、紐付け情報ＤＢ３００の中から、Ｓ３０２で抽出したレコードとグループＩＤ３０４が一致する他のレコードを抽出する。
【００７６】
（Ｓ３０６）情報提供手段１１６は、Ｓ３０２で抽出したレコードの決済情報３０８及び商品情報３１０と、Ｓ３０４で抽出したレコードの決済情報３０８及び商品情報３１０とをユーザ端末１６に提供（送信）する。
【００７７】
以上の処理により、ユーザは、自分が購入した商品に加えて、同じグループに属する他のユーザが購入した商品の決済情報及び商品情報も容易に入手して利用することができる。
【００７８】
図８は、ユーザ端末１６に提供される表示画面の例を示す図である。
【００７９】
例えば、ユーザが冷蔵庫に備えられている情報ディスプレイ（ユーザ端末１６に相当）を操作すると、次のＡ１乃至Ａ３の処理が実行されてよい。
【００８０】
（Ａ１）情報ディスプレイは、情報管理システム１０に対して、最近購入した食品の賞味期限の情報を要求する。この要求にはユーザ属性情報が含まれてよい。
【００８１】
（Ａ２）この要求を受領した情報管理システム１０の情報提供手段１１６は、ＤＢ制御手段１１２を通じて、紐付け情報ＤＢ３００から、この要求に含まれるユーザ属性情報３０６又は同じグループＩＤ３０４に対応する、最近購入された食品の商品情報３１０を検索する。同じグループＩＤ３０４を含めているのは、例えば、ユーザ本人以外の家族が購入した食品も合わせて検索したいからである。
【００８２】
（Ａ３）情報提供手段１１６は、その検索結果に基づいて、食品の購入日と食品名と賞味期限とを対応付けたリストを生成し、情報ディスプレイに送信する。このリストを受領した情報ディスプレイは、図８に示すようなリストを表示する。
【００８３】
これにより、ユーザは、冷蔵庫を開けて食品をチェックすることなく、購入した食品の賞味期限を簡単に知ることができる。
【００８４】
図９は、ユーザ端末１６に提供される表示画面の別の例を示す図である。
【００８５】
例えば、ユーザがユーザ端末のＷＥＢブラウザを操作すると、次のＢ１乃至Ｂ３の処理が実行されてよい。
【００８６】
（Ｂ１）ＷＥＢブラウザは、情報管理システム１０に対して、今月の支出の情報を要求する。この要求にはユーザ属性情報が含まれてよい。
【００８７】
（Ｂ２）この要求を受領した情報管理システム１０の情報提供手段１１６は、ＤＢ制御手段１１２を通じて、紐付け情報ＤＢ３００から、この要求に含まれるユーザ属性情報３０６又は同じグループＩＤ３０４に対応する、今月の購入商品の決済情報３０８及び商品情報３１０を検索する。
【００８８】
（Ｂ３）情報提供手段１１６は、その検索結果に基づいて、商品の購入日と購入者（ユーザ属性情報）と商品名と金額とを対応付けたリストを生成し、ＷＥＢブラウザに送信する。このリストを受領したＷＥＢブラウザは、図９に示すようなリストを表示する。
【００８９】
これにより、ユーザは、今月の家族の支出を簡単に知ることができる。つまり、ユーザは家族の家計簿を簡単に作成することができる。
【００９０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００９１】
１０…情報管理システム  １２…ＰＯＳシステム  １６…ユーザ端末  １００…決済手段  １０２…ユーザ属性受付手段  １０４…紐付け手段  １１２…ＤＢ制御手段  １１４…グループ制御手段  １１６…情報提供手段  ３００…紐付け情報ＤＢ
【図１】
2017138745.tif 000003
【図２】
2017138745.tif 000004
【図３】
2017138745.tif 000005
【図４】
2017138745.tif 000006
【図５】
2017138745.tif 000007
【図６】
2017138745.tif 000008
【図７】
2017138745.tif 000009
【図８】
2017138745.tif 000010
【図９】
2017138745.tif 000011
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
ＰＯＳシステム（ｐｏｉｎｔ  ｏｆ  ｓａｌｅｓ  ｓｙｓｔｅｍ）と連携して情報の管理を行う情報管理システムであって、
前記ＰＯＳシステムで商品またはサービスの決済を行う際に、購入者の属性情報を受け付ける受付手段と、
前記購入者が複数の場合に、前記属性情報を所定のグループに登録するグループ手段と、
前記ＰＯＳシステムで管理している前記決済を完了した商品またはサービスの情報と、前記受け付けた属性情報と、前記グループとを紐付ける紐付け手段と、
前記紐付けした情報をデータベースに登録する登録手段と、
登録した前記紐付けした情報のグループを変更する変更手段と、
前記登録された情報を変更後の前記グループ単位で提供する提供手段と、
を備えることを特徴とする情報管理システム。
【請求項２】
前記属性情報が、クレジットカードの情報であることを特徴とする請求項１に記載の情報管理システム。
【請求項３】
前記属性情報が、所有端末の情報であることを特徴とする請求項１に記載の情報管理システム。
【請求項４】
前記属性情報が、マイナンバーであることを特徴とする請求項１に記載の情報管理システム。
【請求項５】
前記関連付けを行うタイミングが、決済のタイミングであることを特徴とする請求項１に記載の情報管理システム。
【請求項６】
前記提供する情報を、決済の情報と紐付けて提供することを特徴とする請求項１に記載の情報管理システム。
【請求項７】
ＰＯＳシステム（ｐｏｉｎｔ  ｏｆ  ｓａｌｅｓ  ｓｙｓｔｅｍ）と連携して情報の管理を行う情報管理システムが実行する情報管理方法であって、
前記ＰＯＳシステムで商品またはサービスの決済を行う際に、購入者の属性情報を受け付ける受付ステップと、
前記購入者が複数の場合に、前記属性情報を所定のグループに登録するグループステップと、
前記ＰＯＳシステムで管理している前記決済を完了した商品またはサービスの情報と、前記受け付けた属性情報と、前記グループとを紐付ける紐付けステップと、
前記紐付けした情報をデータベースに登録する登録ステップと、
登録した前記紐付けした情報のグループを変更する変更ステップと、
前記登録された情報を変更後の前記グループ単位で提供する提供ステップと、
を有することを特徴とする情報管理方法。
【請求項８】
ＰＯＳシステム（ｐｏｉｎｔ  ｏｆ  ｓａｌｅｓ  ｓｙｓｔｅｍ）と連携して情報の管理を行う情報管理システムに、
前記ＰＯＳシステムで商品またはサービスの決済を行う際に、購入者の属性情報を受け付ける受付ステップ、
前記購入者が複数の場合に、前記属性情報を所定のグループに登録するグループステップ、
前記ＰＯＳシステムで管理している前記決済を完了した商品またはサービスの情報と、前記受け付けた属性情報と、前記グループとを紐付ける紐付けステップ、
前記紐付けした情報をデータベースに登録する登録ステップ、
登録した前記紐付けした情報のグループを変更する変更ステップ、
前記登録された情報を変更後の前記グループ単位で提供する提供ステップ、
を実行させるためのコンピュータ読み取り可能なプログラム。
【手続補正２】
【補正対象書類名】明細書
【補正対象項目名】０００６
【補正方法】変更
【補正の内容】
【０００６】
本発明の一実施形態に係る情報管理システムは、ＰＯＳシステム（ｐｏｉｎｔ  ｏｆ  ｓａｌｅｓ  ｓｙｓｔｅｍ）と連携して情報の管理を行うシステムであって、
ＰＯＳシステムで商品またはサービスの決済を行う際に、購入者の属性情報を受け付ける受付手段と、
購入者が複数の場合に、属性情報を所定のグループに登録するグループ手段と、
ＰＯＳシステムで管理している決済を完了した商品またはサービスの情報と、受け付けた属性情報と、グループとを紐付ける紐付け手段と、
紐付けした情報をデータベースに登録する登録手段と、
登録した紐付けした情報のグループを変更する変更手段と、
登録された情報を変更後のグループ単位で提供する提供手段と、
を備えることを特徴とする。